(57)【要約】【課題】  通気性および遮光性を有し、製作容易で多様なデザインバリーションを実現することのできる帽子を提供する。【解決手段】  帽体２の前部下方に開口５を有するため該開口５から外気が導入され、かつ、前記開口５の上部周縁に沿って設けられた開口鍔４により前記開口５から差し込む日光を遮ることが可能となる。本発明の帽子の構造によれば、前記開口５から流入する大量の外気は、帽子の被着者の頭部に直接接触することに加えて、開口鍔４により日差しが遮られるので、冷却効果が体感上極めて優れている。さらに前記ベルト３に設けた基本鍔６は、通常の鍔付き帽子の鍔と同様、被着者の顔面に差し込む日光を遮る役割を果たす。【選択図】図１
2013067902.tif 000002
【特許請求の範囲】
【請求項１】
帽体の前部下方に開口を有し、該開口の上部周縁に沿って開口鍔が設けられる帽子であって、前記開口の下端はベルトに形成され、前記開口鍔の先端部が前記ベルトよりも高い位置に設定され、前記ベルトに基本鍔が設けられたことを特徴とする帽子。
【請求項２】
前記帽体の後部に開口が設けられた請求項１記載の帽子。
【請求項３】
前記帽体の内側にスパイクが設けられ、帽子を被着した状態において、頭部に前記スパイクが接触するが前記帽体は接触しないで、頭部と前記帽体の間に隙間が形成されることを特徴とする請求項１または２記載の帽子。
【請求項４】
前記帽体の内側にハンモックが設けられ、帽子を被着した状態において、頭部に前記ハンモックが接触するが前記帽体は接触しないで、頭部と前記帽体の間に隙間が形成されることを特徴とする請求項１または２記載の帽子。
【請求項５】
前記ハンモックの頭部と接触する面にスパイクが設けられた請求項４記載の帽子。
【発明の詳細な説明】
【技術分野】
【０００１】
この発明は、通気性および遮光性を有する帽子に関するものである。
【背景技術】
【０００２】
従来、通気性を有する帽子としては、帽体に通気孔を設けるもの、帽体の生地の一部または全部にメッシュ素材を用いるもの等が知られている。
帽体に通気孔を設ける方式は、直径１ｍｍ〜５ｍｍ程度の通気孔が帽体の適宜位置に数か所設けられるが、通気孔が小さいため清涼感を感じるのに十分な通気性を確保することはできなかった。また、帽体の生地の一部にメッシュ素材を用いた場合には、通気性を確保することはできるが、メッシュ素材を用いた部分において直接日光が当たるため、被着者は十分な清涼感を感じることができない。さらに、帽体に通気孔を設けたり、帽体の生地の一部にメッシュ素材を用いたりした場合は、外観上の体裁も良くない。
【０００３】
特許文献１には、遮光素材からなるクラウン表地と通気素材からなるクラウン裏地とでクラウンを形成した帽子であって、クラウン表地の下縁における所定区間をクラウン裏地に対して縫着せずにふらし、クラウン表地の下縁におけるふらした部分の下側からクラウン表地とクラウン裏地との隙間へ外気を導入することができるようにしたことを特徴とする帽子が開示されている。しかしながら、単に表地と裏地を縫着しないという方法のみでは、外気を導入するための隙間が十分に確保されているとはいえない。また、クラウン表地の下縁における所定区間をクラウン裏地に対して縫着しないので、十分な通気性を確保しようとするとクラウン下縁の強度が弱くなるという問題がある。
【０００４】
他方、特許文献２には、リング状シートを重合して構成したことを特徴とする帽子が開示されている。本発明によれば、遮光性と通気性の双方を確保することができる。しかしながら、本発明に係る帽子は、従来の帽子の製法とは全く異なる製法により製造されるものであるため、量産が困難である上、製造コストも高くなる。また、リング状シートを重合するのみであるため、構造上、頭部を保護するという帽子本来の機能を果たすことができない。
【先行技術文献】
【特許文献】
【０００５】
【特許文献１】特開２００８−３０８７９０号公報
【特許文献２】特開２００１−２２６８１４号公報
【発明の概要】
【発明が解決しようとする課題】
【０００６】
本発明は、通気性および遮光性を有し、製作容易で多様なデザインバリーションを実現することのできる帽子を提供することを目的とするものである。
【課題を解決するための手段】
【０００７】
本発明の帽子は、帽体の前部下方に開口を有し、該開口の上部周縁に沿って開口鍔が設けられる帽子であって、前記開口の下端はベルトに形成され、前記開口鍔の先端部が前記ベルトよりも高い位置に設定され、前記ベルトに基本鍔が設けられたことを特徴とする。
前記帽体の後部に開口が設けられたことが好ましい。
【０００８】
前記帽体の後部に開口が設けられたことが好ましい。
前記帽体の内側にスパイクが設けられ、帽子を被着した状態において、頭部に前記スパイクが接触するが前記帽体は接触しないで、頭部と前記帽体の間に隙間が形成されることが好ましい。
【０００９】
前記帽体の内側にハンモックが設けられ、帽子を被着した状態において、頭部に前記ハンモックが接触するが前記帽体は接触しないで、頭部と前記帽体の間に隙間が形成されることが好ましい。
前記ハンモックの頭部と接触する面にスパイクが設けられたことが好ましい。
【発明の効果】
【００１０】
本発明に係る帽子は、通気性および遮光性を有するため、被着者は従来の帽子では得られなかった十分な涼感を得ることができる。また、本発明の帽子は従来の帽子の製造方法と大きく異なる所がなく製作容易でコスト安である。
さらに、帽体の前部に開口を有し該開口の上部周縁に沿って鍔を設けると共に帽体の前部下端に沿って基本鍔が設けられるので、外観デザインが極めて優れている。
【図面の簡単な説明】
【００１１】
【図１】本発明の帽子の正面図（図１（１））と側面図（図１（２））である。
【図２】帽体、開口鍔および基本鍔を分離して示す側面図である。
【図３】本発明の帽子の別の実施形態を示す側面図である。
【図４】本発明の帽子のさらに別の実施形態を示す縦断側面図である。
【発明を実施するための形態】
【００１２】
以下、本発明に係る通気性を有する帽子の実施形態を図面に基づいて説明する。
図１（１）は、本発明に係る帽子の正面図、図１（２）はその側面図であり、帽子を構成する帽体２、開口鍔４および基本鍔６が示されている。図２は、前記帽体２、開口鍔４および基本鍔６を分離して示す側面図である。
【００１３】
帽体２の前部下方には開口５が設けられ、該開口５の下端はベルト３に形成される。ベルト３は前記帽体２の前部下方を繰り抜いて前記開口５を設ける際に、前記帽体２と一体となって形成される。
【００１４】
開口鍔４は帽体２の前部下方に設けられた開口５の上部周縁に沿って固定され、基本鍔６は前記ベルト３に固定される。前記開口鍔４および基本鍔６の固定方法としては、通常、縫製によることが好ましいが、これに限らず、両面テープ等を用いた固定方法を採用することもできる。
【００１５】
続いて、図１に示す帽子の作用を説明する。
帽体２の前部下方に開口５を有するため該開口５から外気が導入され、かつ、前記開口５の上部周縁に沿って設けられた開口鍔４により前記開口５から差し込む日光を遮ることが可能となる。本発明の帽子の構造によれば、前記開口５から流入する大量の外気は、帽子の被着者の頭部に直接接触することに加えて、開口鍔４により日差しが遮られるので、冷却効果が体感上極めて優れている。
さらに前記ベルト３に設けた基本鍔６は、通常の鍔付き帽子の鍔と同様、被着者の顔面に差し込む日光を遮る役割を果たす。
【００１６】
本発明の帽子の製法は従来の帽子の製法と大きく異なる所はなく、帽体２の前部下方に開口５を設け、従来の鍔付き帽子が帽体２の下端に沿って鍔を固定するのと同じ要領で、前記開口５の上部周縁に沿って開口鍔４を設ければ良いため、製作容易である。
【００１７】
また、前記開口５の上部周縁に開口鍔４を設けるため、従来の鍔付き帽子には見られなかった外観デザインを実現することができる。特に、帽体２の前部下縁の基本鍔６と合わせて帽体２に鍔が２つ備えられることになるから、例えば前記開口鍔４と基本鍔６の色彩や形状の組み合わせにより、多様のデザインバリエーションを実現することができる。
【００１８】
さらに、本発明の帽子は、帽体２に開口５を設けて該開口５に鍔４を設けるという点を除いては、従来の帽子の構造と変わる所はなく、頭部を保護するという帽子本来の機能を維持することも可能となる。
【００１９】
帽体２の前部に設けられる開口５の大きさについて格別の制限はなく、十分な通気性を確保することのできる大きさとすれば良い。
本実施形態において、開口５の外形を三日月形としたが、円形、楕円形、矩形、その他種々の形状とすることができる。
【００２０】
開口５の位置については帽体２の前部下方であればいずれの位置に設けても良いが、本発明の帽子を被着した状態において、被着者の額の位置に相当する部分に前記開口５を設ければ、外気が頭部において最も冷気に敏感な部位である額に直接当たることから、本発明の帽子の被着者はより一層の涼感を得ることができる。
【００２１】
本実施形態において前記ベルト３を帽体２と一体に形成したが、前記ベルト３を別部材として帽体２に固定することもできる。この場合、ベルト３が前記開口５の下端に位置するように帽体２に縫製等により直接固定すれば良い。
また、ベルト３を帽体２とは別部材とし、ベルト３を合成樹脂等の硬質の素材で構成すれば、前記開口３の面積を広く取った場合であっても帽子全体の形状が崩れることなく保持される。
【００２２】
前記ベルト３の幅に格別の制限はないが、最大限の涼感が得られるように、額に接触する面が必要最小限の幅になるように設定することが好ましい。その結果、涼感が得られると共に帽子の被り心地、特にフィット感が良くなるという効果がある。
【００２３】
開口鍔４の長さ、幅、厚みについては、帽体２の大きさや開口５の大きさに多分に依存するものの、格別の制限はなく、開口５から差し込む日光を有効に遮ることのできるものとすれば良い。開口鍔の先端部４ａは前記ベルト３よりも高い位置に設定され、これにより、前方からの外気を頭部に受け易くしている。
開口鍔４の外形について格別の制限はなく、半円形、半楕円形、台形、矩形、その他種々の形状とすることができる。
【００２４】
帽体２の前部に設けられる開口５および該開口５の上部周縁に設けられる開口鍔４の大きさ、形状等は製造の容易さ等、帽子の製造条件に加えて、デザイン性が考慮される。前記開口５および開口鍔４の大きさ等は、本発明の帽子の意匠を決定づけるからである。
【００２５】
基本鍔６の形状、大きさについて、格別の制限はなく、通常の鍔付き帽子に設けられる鍔と同様に、被着者の顔面に差し込む日光を遮ることができるものであれば良い。但し、基本鍔６の形状、大きさは帽子全体のデザインに影響を与えるものなので、開口鍔４の大きさ、形状とのバランスを考慮して決定することが好ましい。
【００２６】
続いて、本発明の別の実施形態について図３を用いて説明する。
図３は本実施形態の帽子を示す側面図である。
本実施形態では、帽体２の前部に開口５Ａを有することに加えて、前記帽体２の後部に開口５Ｂが設けられる。したがって、前記開口５Ａ、５Ｂから外気が導入されるため、被着者はより一層の涼感を得ることができる。前記開口５Ａから差し込む日差しについては、前記開口５Ａの上部周縁に設けられた開口鍔４により遮られる。
【００２７】
帽体２の後部に設けられる開口５Ｂの形状に格別の制限はなく、半月状、円形、楕円形、矩形、その他種々の形状とすることができる。通気性や外観上のデザイン等を考慮して適宜形状を決定すれば良い。
また、開口５Ｂの大きさについて特別の制限はなく、十分な通気性を確保することができるものとすれば良い。
【００２８】
次に、本発明のさらに別の実施形態について図４を参照しながら説明する。
図４は本実施形態の帽子を示す縦断側面図であり、帽子を構成する帽体２、ベルト３、開口鍔４、基本鍔６が示されている。
本実施形態では、帽体の内側の適宜位置に所定の数量のスパイク１０が設けられている。帽子を被着した状態では、スパイク１０が被着者の頭部に接触し帽体２と頭部との間に隙間が形成される。
したがって、外気が帽体２の前部に設けられた開口５Ａ、５Ｂから帽体２の内部に入ると、その空気は帽体２の内部に形成される前記隙間から導入される。その際、帽体２の内部に貯留する蒸れた空気も、この外気流に同伴されて瞬時に帽体２の外部に排気される。
【００２９】
前記帽体２の前部に設けられる開口５Ａが主として外気の導入口として機能するのに対して、前記帽体２の後部に設けられる開口５Ｂは導入されかつ帽体２の内部に溜まった空気の排気口として機能することが求められることから、開口５Ａと対向する位置、特に、帽体２の頂部後方位置とすることが好ましい。
【００３０】
本実施形態において、帽体２の内側に設けられるスパイク１０の断面形状を半円形としたが、半楕円形、矩形、その他種々の形状とすることができる。
また、前記スパイク１０の位置と数量について格別の制限はなく、開口５Ａ、５Ｂから流入した外気が帽体２の内部を有効に通り抜けることのできるものとすれば良い。
スパイク１０の素材については、前記隙間を形成することおよび被着者の被り心地を考慮して決定すれば良い。
【００３１】
また、図示しないが帽体２の内部にハンモックを設けることにより、頭部と帽体２の間に隙間を形成しても良い。この場合、帽子を被着した状態では、被着者の頭部に前記ハンモックが接触することにより、被着者の頭部と帽体２の間に隙間が形成される。
【００３２】
ハンモックは開口５から導入された外気の通路が確保されるように設置されれば良く、その設置位置に特に制限はない。つまり、帽子の被着状態において頭部と帽体２の間に隙間が形成されるように設ければ良い。
【００３３】
また、ハンモックの頭部と接触する面にスパイクを設けることにより、頭部と帽体の間に隙間を形成しても良い。
【符号の説明】
【００３４】
２      帽体
３      ベルト
４      開口鍔
４ａ  開口鍔の先端部
５    開口
６    基本鍔
１０  スパイク
【図１】
2013067902.tif 000003
【図２】
2013067902.tif 000004
【図３】
2013067902.tif 000005
【図４】
2013067902.tif 000006